(57)【要約】      （修正有）【課題】イチゴやバナナ等の果物を押し潰して果汁や流動食にした離乳食の包装容器に用いるに使い勝手の良いスパウト付き袋を提供する。【解決手段】袋本体１１の下部を切り込み１１ｅ、１１ｆからライン１１ｇに沿って切り裂いて袋口を形成する。袋口はチャック１４を外せば、開くことができ、開いた袋口から、例えばイチゴを袋本体１１に入れる。イチゴを袋本体１１に入れた後、再びチャック１４を閉めて袋口を閉じ、袋本体１１にイチゴを密封し、袋本体１１ごとイチゴを押し潰せば、ボウルやまな板、包丁等を使用することなく、手を汚すこともなく、イチゴを果汁にすることができる。【選択図】図１
0003228790.tif 000002
【実用新案登録請求の範囲】
【請求項１】
プラスチックフィルム製の袋本体の上部に、スパウトを取り付け、スパウトにキャップをねじ付けたスパウト付き袋であって、
袋本体の下部を引き裂いて袋口を形成するため袋本体の両側縁に切り込みを形成し、
切り込みから袋本体の下部を引き裂いて形成した袋口を密閉又は開放するため袋本体の内面にチャックを設けたことを特徴とするスパウト付き袋。
【考案の詳細な説明】
【技術分野】
【０００１】
本考案はスパウト付き袋に関する。
【背景技術】
【０００２】
特開２０１７−１４１０６１号公報には、プラスチックフィルム製の袋の上部にスパウトを取り付け、スパウトにキャップをねじ付けたスパウト付き袋が開示されている。この種のスパウト付き袋は、使いやすく、再密閉が可能で衛生的なことから離乳食類、流動食類、ジュース類、ゼリー状飲料等の食品の包装容器として広く用いられている。
【先行技術文献】
【特許文献】
【０００３】
【特許文献１】特開２０１７−１４１０６１号公報
【考案の概要】
【考案が解決しようとする課題】
【０００４】
ところで、乳幼児のいる家庭では、イチゴやバナナ等の果物を押し潰して果汁や流動食にしたものを保存しておき、必要に応じて乳幼児に離乳食として与えることがある。
通常、家庭でイチゴやバナナを果汁や流動食にするにはこれらをボウルに入れて押し潰すか、まな板の上で包丁などを使って細かくするが、その際、手が汚れたり、ボウル、まな板、包丁等の洗い物が発生するので、後始末が面倒である。
【０００５】
また、この種の離乳食の保存に再密閉が可能で衛生的なスパウト付き袋を用いる場合、スパウトにネジ付けられているキャップを外してスパウトを開き、果汁や流動食にしたイチゴやバナナをボウル等からスパウトを通して袋に充填する必要がある。
しかし、スパウトは流動食のようなものを流し込むには狭いため、袋への充填作業が甚だ面倒である。そのため、イチゴやバナナ等の果物を押し潰して果汁や流動食にした離乳食の包装容器に用いるには甚だ使い勝手が悪い。
本考案はかかる点に鑑み、イチゴやバナナ等の果物を押し潰して果汁や流動食にした離乳食の包装容器に用いるに使い勝手の良いスパウト付き袋を提供することを目的とする。
【課題を解決するための手段】
【０００６】
本考案は、プラスチックフィルム製の袋本体の上部に、スパウトを取り付け、スパウトにキャップをねじ付けたスパウト付き袋であって、
袋本体の下部を引き裂いて袋口を形成するため袋本体の両側縁に切り込みを形成し、
切り込みから袋本体の下部を引き裂いて形成した袋口を密閉又は開放するため袋本体の内面にチャックを設けたことを特徴とする。
【考案の効果】
【０００７】
本考案に係るスパウト付き袋は、未使用の状態、すなわち袋本体の下部を切り込みから引き裂いて袋口を形成する前の状態では、袋本体が密閉されているので、衛生的に保管できる。
使用するときは、袋本体の下部を切り裂いて袋口を形成する．袋口はチャックを外せば、開くことができ、開いた袋口からイチゴやバナナを袋本体に入れることができる。
そして、イチゴやバナナを袋本体に入れた後、再びチャックを閉めて袋口を閉じ、袋本体にイチゴやバナナを密封し、袋本体ごとイチゴやバナナを押し潰せば、ボウルやまな板、包丁等を使用することなく、手を汚すこともなく、果汁や流動食にすることができる。
袋の中の果汁や流動食は、スパウトを閉じているキャップを取り外し、これに代えてスプーン付きのキャップや穴の開いたおしゃぶり付きキャップをスパウトに付け替え、袋本体からこれらを通して乳幼児に与えることができる。
【図面の簡単な説明】
【０００８】
【図１】本考案の実施例に係るスパウト付き袋を示す斜視図である。
【図２】図１の２−２線から切断した断面図である。
【図３】本考案の実施例に係るスパウト付き袋の使用法を示す説明図である。
【図４】本考案の実施例に係るスパウト付き袋の他の使用法を示す説明図である。
【実施例】
【０００９】
以下に本考案を説明する。図１には本考案の実施例に係るスパウト付き袋１０が開示されている。当該スパウト付き袋１０はプラスチックフィルム製の袋本体１１を備え、袋本体１１の上部にはスパウト１２が取り付けられ、スパウトの注出口にキャップ１３がネジ付けられている。
【００１０】
袋本体１１は２枚のフィルム１１ａ，１１ｂを重ね、スパウト１２を取り付けた部分を除き上縁、両側縁及び下縁をヒートシール１１ｃで接着して密封されている。
【００１１】
袋本体１１の下部１１ｄの両側縁には切り込み１１ｅ，１１ｆが形成され、袋本体１１の表面に両切り込み１１ｅ，１１ｆを結ぶライン１１ｇが印刷表示されている。
【００１２】
袋本体１１の内面のラインの近傍上方にチャック１４が設けられている。このチャック１４は袋本体１１を横断して両側縁のヒートシール１１ｃを結ぶように設けられている。図２に拡大して図示するように、チャック１４はフィルム１１ａに接着した横溝片１４ａとフィルム１１ｂに接着され、横溝片１４ａに着脱可能に嵌合する凸条片１４ｂで構成されている。
【００１３】
本実施例に係るスパウト付き袋１０の構成は以上の通りであって、図１に示すように、未使用の状態、すなわち袋本体１１の下部１１ｄを切り込み１１ｅ，１１ｆからラインに沿って引き裂く前の状態では、袋本体１１が密閉されているので、衛生的に保管できる。
【００１４】
図３に示すように、このスパウト付き袋１０を使用するときは、袋本体１１の下部を切り込み１１ｅ，１１ｆからライン１１ｇに沿って切り裂いて袋口１１ｈを形成する。袋口１１ｈはチャック１４を外せば、開くことができ、開いた袋口１１ｈから、例えばおかゆ１５を袋本体１１に入れる。
そして、おかゆ１５を袋本体１１に入れた後、再びチャック１４を閉めて袋口１１ｈを閉じ、袋本体１１におかゆ１５を密封し、袋本体１１ごとおかゆ１５を押し潰せば、ボウルやまな板、包丁等を使用することなく、手を汚すこともなく、おかゆ１５のごはん粒を汁状に潰すことができる。
【００１５】
袋本体１１の中のおかゆ１５が汁状になったら、スパウト１２を閉じているキャップ１３を取り外し、これに代えてスプーン付きのキャップ１６をスパウト１２に付け替える。スプーン付きキャップ１６は柄の部分が筒構造を有するので、袋本体１１からスプーン付きキャップ１６を通して乳幼児におかゆ１５を与えることができる。
【００１６】
また、図４に示すように、バナナ１７を乳幼児の離乳食として与える場合、キャップ１３に代えて穴あきのおしゃぶり付きキャップ１８に付け替える。そして、袋本体の中でバナナを押し潰して流動食にすれば、穴あきのおしゃぶり付きキャップ１８を通してバナナの流動食を乳幼児に与えることができる。
【符号の説明】
【００１７】
１０…スパウト付き袋
１１…袋本体
１１ａ，１１ｂ…フィルム
１１ｃ…ヒートシール
１１ｄ…（袋本体の）下部
１１ｅ，１１ｆ…切り込み
１１ｇ…ライン
１１ｈ…袋口
１２…スパウト
１３…キャップ
１４…チャック
１４ａ…横溝片
１４ｂ…凸条片
１５…おかゆ
１６…スプーン付きキャップ
１７…バナナ
１８…穴あきのおしゃぶり付きキャップ
【図１】
0003228790.tif 000003
【図２】
0003228790.tif 000004
【図３】
0003228790.tif 000005
【図４】
0003228790.tif 000006